(57)【要約】【課題】リール押さえとリールボスとのロック解除不良を解消できる単リール型テープカートリッジを提供する。【解決手段】本体ケース１の内部に、テープ３を巻き込み収納する１個のリール２と、不使用時のリール２を回転不能にロック保持するリールロック機構とを配置する。リールロック機構は、上ケース１ａの内面に設けたガイド体１７で上下スライドのみ可能に案内支持されるリール押さえ１８と、リール押さえ１８を押し下げ付勢するばね１９と、リール押さえ１８とリールボス８の底壁１０との対向面に形成される上下のロック歯２０・２１とを含む。ガイド体１７に係合するほぼ長円形状のボス２６の直線辺部２６ａに、これと直交する向きのリブ３０を突設し、ロック解除時にリブ３０が上ケース１ａに接当することでリール押さえ１８の傾動を防止する。【選択図】図１
2007242105.tif 000002
【特許請求の範囲】
【請求項１】
上下ケースを蓋合わせ状に接合してなる本体ケースの内部に、磁気信号を記録するテープと、前記テープを巻き込み収納する１個のリールと、不使用時の前記リールを回転不能にロック保持するリールロック機構とが配置されており、
前記リールロック機構は、前記上ケースの内面に設けたガイド体で上下スライドは可能に、しかし回転は不能に案内支持されるリール押さえと、前記上ケースと前記リール押さえとの間に設けられて、前記リール押さえを押し下げ付勢する圧縮コイル型のばねと、前記リール押さえとリールボスの底壁との対向面に形成されて互いに係合する上下のロック歯とを含み、
前記リール押さえの上面に、前記ガイド体と係合する回動規制体と、ロック解除状態において前記上ケースの内面に当接して前記リール押さえの傾動を規制する傾動規制体とが形成してあることを特徴とする単リール型テープカートリッジ。
【請求項２】
前記傾動規制体が、ほぼ長円形状に形成される前記回動規制体の直線辺部に連続するリブ状の突起として形成してある請求項１記載の単リール型テープカートリッジ。
【発明の詳細な説明】
【技術分野】
【０００１】
本発明はリールロック機構を備えている単リール型のテープカートリッジに関する。
【背景技術】
【０００２】
単リール型のテープカートリッジにおいて、本体ケースの上ケースとリールボスの底壁との間にリールロック機構を設けることは、例えば特許文献１に公知である。リールロック機構は、上ケースの内面に設けたガイド体で上下スライドのみ可能に案内支持されるリール押さえと、リール押さえを押し下げ付勢する圧縮コイル型のばねと、リール押さえとリールボスの底壁との対向面に形成される上下のロック歯とを含む。リール押さえの下面には、操作軸が下向きに突設してあり、この操作軸をテープドライブ側の駆動軸に設けた解除ピンで押し上げ操作することによりリールをロック解除できる。
【０００３】
リール押さえの上面にはガイド体と係合するボスが形成されており、これによりリール押さえを回転規制した状態で上下スライド操作できる。このスライド操作を円滑に行うために、ボスとガイド体との間に余裕隙間が設けてある。そのため、リール押さえを押し上げ操作する際に、余裕隙間分だけリール押さえが傾動し、リール押さえのロック歯と、リールボスのロック歯とが、リール押さえの傾斜下端側で部分的に当接して異音を発生する。最悪の場合にはロック解除が不十分なままでリールが回転駆動され、両ロック歯を傷めてしまうこともある。
【０００４】
上記のようなリール押さえの異常傾動を防止することは、特許文献２に公知である。そこでは、テープドライブの駆動軸を利用してリール押さえの異常傾動を防いでいる。詳しくは、駆動軸に傾動規制軸を設け、傾動規制軸と係合する規制穴をリール押さえの操作軸に設けている。
【０００５】
【特許文献１】特開平１１−１４９７４９号公報（段落番号００１６、図４）
【特許文献２】特開２００４−２８８３０２号公報（段落番号００２３、図１）
【発明の開示】
【発明が解決しようとする課題】
【０００６】
特許文献２のテープカートリッジによれば、ロック解除時には、傾動規制軸と規制穴とが他に先行して嵌係合し、次いでリール押さえが押し上げ操作されるので、リール押さえが傾動することを防止できる。しかし、テープドライブの駆動軸と、テープカートリッジのリール押さえの構造変更を行う必要があるので、全体としてコストが嵩む。改良されたテープカートリッジを既存のテープドライブに適用しても、リール押さえの傾動を規制できない不利もある。
【０００７】
本発明の目的は、リール押さえのロック歯とリールボスのロック歯との間のロック解除不良を確実に解消できる、信頼性の高い単リール型テープカートリッジを提供することにある。本発明の目的は、リール押さえの構造を一部変更するだけでよく、低コストでリールロック機構の信頼性を高めることができるうえ、既存のテープドライブに適用する場合にも異常傾動を確実に防止できる単リール型テープカートリッジを提供することにある。
【課題を解決するための手段】
【０００８】
本発明のテープカートリッジは、上下ケース１ａ・１ｂを蓋合わせ状に接合してなる本体ケース１の内部に、磁気信号を記録するテープ３と、テープ３を巻き込み収納する１個のリール２と、不使用時のリール２を回転不能にロック保持するリールロック機構とが配置されている。リールロック機構は、上ケース１ａの内面に設けたガイド体１７で上下スライドは可能に、しかし回転は不能に案内支持されるリール押さえ１８と、上ケース１ａとリール押さえ１８との間に設けられて、リール押さえ１８を押し下げ付勢する圧縮コイル型のばね１９と、リール押さえ１８とリールボス８の底壁１０との対向面に形成されて互いに係合する上下のロック歯２０・２１とを含む。以て、リール押さえ１８の上面に、ガイド体１７と係合する回動規制体２６と、ロック解除状態において上ケース１ａの内面に当接してリール押さえ１８の傾動を規制する傾動規制体３０とが形成してあることを特徴とする。
【０００９】
上記の傾動規制体２６は、ほぼ長円形状に形成される前記回動規制体の直線辺部２６ａに連続するリブ状の突起として形成する。
【発明の効果】
【００１０】
本発明のリールロック機構においては、リール押さえ１８の上面に、回動規制体２６とは別に傾動規制体３０を設けて、ロック解除状態において傾動規制体３０が他に先行して上ケース１ａの内面と当接することによりリール押さえ１８の傾動を規制するので、リール押さえ１８のロック歯２０とリールボス８のロック歯２１との間のロック解除不良を確実に解消でき、従来のテープカートリッジに比べてリールロック機構の信頼性を向上できる。
【００１１】
さらに、回動規制体２６の周囲に傾動規制体３０を付加するだけで、リール押さえ１８の傾動に伴うロック解除不良を確実に解消できるので、駆動軸と操作軸との間に傾動規制構造を設ける場合に比べて、コストが少なくて済むうえ、既存のテープドライブに適用する場合にも異常傾動を確実に防止できる点で有利である。
【００１２】
回動規制体２６がほぼ長円形状に形成してある場合には、両端の円弧辺部２６ｂに比べて直線辺部２６ａがリール押さえ１８の中心軸の近くに位置する。そのため、回動規制体２６とガイド体１７との間の余裕隙間が均等に設けてあるにもかかわらず、直線辺部２６ａと直交する向きの傾動角度が、円弧辺部２６ｂの側の傾動角度より大きくなる。したがって、回動規制体２６の直線辺部２６ａに傾動規制体３０を設けると、リール押さえ１８の異常傾動をさらに確実に防止してロック解除不良を一掃できる。また、傾動規制体３０を回動規制体２６の直線辺部２６ａに連続するリブ状の突起として形成すると、リール押さえ１８のベース２２と回動規制体２６とを傾動規制体３０で繋いで補強でき、その分だけリール押さえ１８の構造強度を増強できる利点もある。
【発明を実施するための最良の形態】
【００１３】
図１ないし図５は本発明に係る単リール型テープカートリッジの実施例を示す。図２においてテープカートリッジは、上下ケース１ａ・１ｂを蓋合わせ状に接合してなる角箱状の本体ケース１を有し、本体ケース１の内部に１個のリール２が収容してある。リール２には磁気信号を記録するテープ３が巻き込んである。本体ケース１の一側前隅にはテープ引出口４が開口してあり、その内部にリーダーブロック５が保持固定してある。リーダーブロック５にはテープ３の繰り出し端が固定される。リーダーブロック５をテープドライブ側のローディング部材で捕捉し、ローディング操作することにより、テープ３をテープドライブ側に引き渡すことができる。符号６は誤消去防止具であり、これを回転操作することにより、書き込み可能な状態と書き込み不能な状態とに切り換えることができる。
【００１４】
図３においてリール２は、下フランジ７と、下フランジ７と一体に成形したリールボス８と、リールボス８の上端に溶着固定される上フランジ９とからなる。リールボス８の底壁１０の中央には通口１１が上下貫通状に形成してあり、底壁１０の上面周縁寄りにはロック歯２１が周回状に設けられている。底壁１０の下面側で通口１１の周りには、吸着リング１２が固定され、その外側に駆動歯１３が周回状に形成してある。
【００１５】
図４に示すように、テープドライブ側の駆動軸Ｄには、リール２の通口１１、吸着リング１２、および駆動歯１３に対応して、解除ピン１４、磁石１５、およびギヤ歯１６が同心状に設けられている。
【００１６】
リール２の遊動を防いで不使用時のテープ３のたるみを防ぐために、上ケース１ａとリールボス８の底壁１０との間に、リールロック機構を配置している。図３および図４においてリールロック機構は、上ケース１ａの内面に設けた前後に長い平板状のガイド体１７と、このガイド体１７で上下スライドのみ可能に案内支持されるリール押さえ１８と、上ケース１ａとリール押さえ１８との間に設けられて、リール押さえ１８を押し下げ付勢する圧縮コイル型のばね１９と、リール押さえ１８と底壁１０との対向面に形成されて互いに係合する上下のロック歯２０・２１とからなる。
【００１７】
図４および図５においてリール押さえ１８は円盤状のベース２２を有し、ベース２２の下面中央に操作軸２３を下向きに突設し、その周縁に鋸刃状のロック歯２０を周回状に形成する。ベース２２の上面中央にはほぼ長円形状のボス（回動規制体）２６を形成し、その周縁寄りにばね１９の下端を受け止めるばね受座２７を形成する。ボス２６には、先のガイド体１７に係合する凹部２８が形成されている。
【００１８】
不使用時においては、図４に示すようにリール押さえ１８がばね１９で押し下げられて、そのロック歯２０とリールボス８の底壁１０のロック歯２１とが係合し、リール２の回転を阻止している。この状態のテープカートリッジをテープドライブに挿入すると、テープドライブ側の駆動軸Ｄに設けた解除ピン１４が、ばね１９の押し下げ力に抗して操作軸２３を押し上げる。これにより上下のロック歯２０・２１の係合が解かれ、リールロック状態が解除される。駆動軸Ｄはさらに押し上げ操作され、その磁石１５が吸着リング１２と密着し、ギヤ歯１６が駆動歯１３と係合した状態のままで、リール２の全体を押し上げて下ケース１ｂから分離させる（図１の状態）。この状態でリール２を回転駆動することにより、本体ケース１からテープ３を繰り出し、あるいは巻き込むことができる。
【００１９】
ガイド体１７と凹部２８との余裕隙間は、リール押さえ１８のスライドが円滑に行える範囲内でなるべく小さく設定するが、この余裕隙間があると、リール押さえ１８を押し上げ操作する場合に、リール押さえ１８が傾動するおそれがある。このような不具合を解消するために、ボス２６を構成する一対の直線辺部２６ａの中央に、これと直交する向きのリブ（傾動規制体）３０をそれぞれ突設した。
【００２０】
上記のように直線辺部２６ａの中央部分にリブ３０が突設してあると、リブ３０が他に先行して上ケース１ａの内面に当接するので、リール押さえ１８が傾動するのを規制し、ロック歯２０・２１間のロック解除不良を解消できる。異常傾動を防ぐための構造変更はリブ３０を付加するだけでよく、従来のテープカートリッジに比べて低コストでリールロック機構の信頼性を高めることができる。また、既存のテープドライブに適用する場合にも異常傾動を確実に防止できる。因みに、前後方向（ボス２６の長手方向）に傾動しようとした場合は、円弧辺部２６ｂが上ケース１ａの内面に当接して傾動を規制できる。
【００２１】
傾動規制体３０の形状は以上のものに限られず、例えば平面視で三角形状などであってもよい。傾動規制体３０は直線辺部２６ａに加えて円弧辺部２６ｂの側にも突設することができる。ロック歯２０・２１は必ずしも上下に噛みあう必要はなく、周方向に噛み合う形態を採ることができる。
【図面の簡単な説明】
【００２２】
【図１】リールがロック解除された状態の縦断正面図である。
【図２】テープカートリッジの横断平面図である。
【図３】リールロック機構の分解断面図である。
【図４】リールがロックされた状態の縦断正面図である。
【図５】リール押さえの斜視図である。
【符号の説明】
【００２３】
１  本体ケース
１ａ  上ケース
１ｂ  下ケース
２  リール
３  テープ
８  リールボス
１０  底壁
１７  ガイド体
１８  リール押さえ
１９  ばね
２０  ロック歯
２１  ロック歯
２６  回動規制体（ボス）
３０  傾動規制体（リブ）
【図１】
2007242105.tif 000003
【図２】
2007242105.tif 000004
【図３】
2007242105.tif 000005
【図４】
2007242105.tif 000006
【図５】
2007242105.tif 000007